(57)【要約】【課題】選択ボタンの表示板の交換を容易にできるとともに、選択ボタンのイタヅラ等を防止することができる選択ボタンを備えた自動販売機を提供することを目的とする。【解決手段】商品収納棚を内部に備えた本体の前面を覆う外扉１０２に備えた電子マネー選択部１２０は、スイッチ部１７１と選択ボタン１４０を前方より覆うボタンカバー１３０とを有し、ボタンカバー１３０には開口部１３１と回動可能な支軸１３２と係止爪１３３とを備え、表示板１４２をボタンカバー１３０の係止爪１３３解除時に前方より交換可能としたことにより、表示板１４２の交換が必要な場合、前方より容易に表示板１４２を交換することができる。【選択図】図６
2010250417.tif 000002
【特許請求の範囲】
【請求項１】
商品収納棚を内部に備えた本体の前面を覆う外扉と、商品を購入する際に選択可能な選択手段を前記外扉に備え、前記選択手段は、スイッチ部と前記スイッチ部を押圧可能なボタン部と前記ボタン部を前方より覆うボタンカバーとを有し、前記ボタンカバーには前記スイッチ部と係合する開口部と回動可能な支軸と前記外扉の開放時に解除可能な係止手段とを備え、前記ボタン部に内蔵する表示板を前記ボタンカバーの係止手段解除時に前方より交換可能としたことを特徴とする自動販売機。
【請求項２】
ボタン部は、表示板カバーと表示板と表示板裏カバーとを前方より配置したことを特徴とする請求項１に記載の自動販売機。
【請求項３】
表示板カバーおよび表示板裏カバーは断面略コの字状とし端部にフランジ部を備えたことを特徴とする請求項２に記載の自動販売機。
【請求項４】
スイッチ部を有する基板および前記基板を支持するボタンベースを備え、前記ボタンベースには前記表示板裏カバーと係合する開口部を有し、前記表示板裏カバーのフランジ部により係止されることを特徴とする請求項３に記載の自動販売機。
【請求項５】
表示板カバーは表示板裏カバーにラップして配置し、前記表示板カバーの内面形状を前記表示板裏カバーの外面寸法と略同一としたことを特徴とする請求項２から４のいずれか一項に記載の自動販売機。
【請求項６】
ボタンカバーの支軸とは開口部を挟んで反対側内面に係止爪を設け、前記ボタンカバー閉時にボタンベースに係止することを特徴とする請求項４または５に記載の自動販売機。
【発明の詳細な説明】
【技術分野】
【０００１】
本発明は、商品購入時の選択ボタンを備えた自動販売機に関するものである。
【背景技術】
【０００２】
近年、自動販売機に備えた選択ボタンは、選択ボタンの内部の表示板を入れ替え可能なようにしたものがある。（例えば、特許文献１参照）
以下、図面を参照しながら、上記従来の自動販売機に備えた選択ボタンについて説明する。
【０００３】
図８は、従来の押しボタンスイッチの断面図、図９は、従来の押しボタンスイッチの表示カバーの分解図である。図において、押しボタンスイッチは、任意の取り付け面Ａに爪６を介して取付けた本体１と、本体１に着脱自在に装着する表示カバー２とから構成し、本体１にはランプ３、スイッチ機構４、スイッチ棒５が設けられている。また、本体１の側面壁には表示カバー２を着脱自在に取付けるための受止部７を有している。
【０００４】
そして、表示カバー２は透明板で形成し、裏面に所定深さの収納部８を設け、かつ本体１に取付けるための連係片９を下部側端部に設け、さらに連係片９の先端に突起１０を設けている。また、表示カバー２の収納部８には、補助紙１１と表示板１２を順に収納し、その上から押止具１３を着脱自在に装着している。
【０００５】
上記構成において、表示カバー２を本体１に取付ける際、連係片９の先端の突起１０を受止部７に係止させることで係止し、押しボタンスイッチとして表示カバー２を押圧時は、受止部７のスリット寸法だけ摺動することでスイッチ棒５を介してスイッチ機構４を動作させる。
【先行技術文献】
【特許文献】
【０００６】
【特許文献１】実開昭５５−９９０３１号公報
【発明の概要】
【発明が解決しようとする課題】
【０００７】
しかしながら、上記従来の自動販売機の選択ボタンの構成では、選択ボタンの内容を表示する表示板１２を交換する際、表示カバー２の連係片９を内側に押すことで先端の突起１０の係止が解除され可能となるが、第三者が操作することもでき、イタヅラ等を防止することができないという課題を有していた。
【０００８】
本発明は上記従来の課題を解決するものであり、選択ボタンの表示板の交換を容易にできるとともに、選択ボタンのイタヅラ等を防止することができる選択ボタンを備えた自動販売機を提供することを目的とする。
【課題を解決するための手段】
【０００９】
上記従来の課題を解決するために、本発明の自動販売機は、商品収納棚を内部に備えた本体の前面を覆う外扉と、商品を購入する際に選択可能な選択手段を前記外扉に備え、前記選択手段は、スイッチ部と前記スイッチ部を押圧可能なボタン部と前記ボタン部を前方より覆うボタンカバーとを有し、前記ボタンカバーには前記スイッチ部と係合する開口部と回動可能な支軸と前記外扉の開放時に解除可能な係止手段とを備え、前記ボタン部に内蔵する表示板を前記ボタンカバーの係止手段解除時に前方より交換可能としたものである
。
【００１０】
これによって、選択手段のボタン部に内蔵する表示板の交換が必要な場合、外扉の開放時にボタンカバーの係止手段を解除することで、支軸を中心にボタンカバーを回動させ開放し、前方より容易に表示板を交換することができるとともに、通常はボタンカバーによりボタン部の着脱はできず、第三者のイタヅラ等を防止することができる。
【発明の効果】
【００１１】
本発明の自動販売機の選択ボタンは、通常は第三者のイタヅラ等を防止することができ、信頼性が高まるとともに、ボタン部に内蔵する表示板の交換が必要な場合は容易に交換することができ、サービス性を向上することができる。
【図面の簡単な説明】
【００１２】
【図１】本発明の実施の形態１における自動販売機本体の斜視図
【図２】同実施の形態の自動販売機の前面斜視図
【図３】同実施の形態の自動販売機の選択手段の拡大図
【図４】同実施の形態の自動販売機の選択手段のボタンカバー開放時の斜視図
【図５】同実施の形態の自動販売機の選択手段の構成部品斜視図
【図６】同実施の形態の自動販売機の選択手段のボタンカバー開放時の断面図
【図７】同実施の形態の自動販売機の選択手段のボタンカバー閉時の断面図
【図８】従来の押しボタンスイッチの断面図
【図９】従来の押しボタンスイッチの表示カバーの分解図
【発明を実施するための形態】
【００１３】
請求項１に記載の発明は、商品収納棚を内部に備えた本体の前面を覆う外扉と、商品を購入する際に選択可能な選択手段を前記外扉に備え、前記選択手段は、スイッチ部と前記スイッチ部を押圧可能なボタン部と前記ボタン部を前方より覆うボタンカバーとを有し、前記ボタンカバーには前記スイッチ部と係合する開口部と回動可能な支軸と前記外扉の開放時に解除可能な係止手段とを備え、前記ボタン部に内蔵する表示板を前記ボタンカバーの係止手段解除時に前方より交換可能としたことにより、選択手段のボタン部に内蔵する表示板の交換が必要な場合、外扉の開放時にボタンカバーの係止手段を操作し解除することで、支軸を中心にボタンカバーを回動させ開放し、前方より容易に表示板を交換することができる。また、ボタンカバーは支軸で支持されているので、開放時に紛失等の恐れもない。さらに、通常はボタンカバーによりボタン部の着脱はできず、第三者のイタヅラ等を防止することができ、信頼性、サービス性を向上することができる。
【００１４】
請求項２に記載の発明は、請求項１に記載の発明において、ボタン部は、表示板カバーと表示板と表示板裏カバーとを前方より配置したものであり、選択手段のボタン部に内蔵する表示板の交換時に、表示板カバーを外すことで、容易に交換作業をすることができる。
【００１５】
請求項３に記載の発明は、請求項２に記載の発明において、表示板カバーおよび表示板裏カバーは断面略コの字状とし端部にフランジ部を備えたものであり、表示板の収納性を高めることができるとともに、フランジ部により表示板カバーおよび表示板裏カバーの位置決めが確実となる。
【００１６】
請求項４に記載の発明は、請求項３に記載の発明において、スイッチ部を有する基板および前記基板を支持するボタンベースを備え、前記ボタンベースには前記表示板裏カバーと係合する開口部を有し、前記表示板裏カバーのフランジ部により係止されるものであり、選択手段のボタン部に内蔵する表示板の交換時に、スイッチ部を有する基板の着脱は必
要なく、表示板カバーのみを外すことで、容易に交換作業をすることができる。
【００１７】
請求項５に記載の発明は、請求項２から４のいずれか一項に記載の発明において、表示板カバーは表示板裏カバーにラップして配置し、前記表示板カバーの内面形状を前記表示板裏カバーの外面寸法と略同一としたものであり、選択手段のボタン部に内蔵する表示板の収納性および交換性をより高めることができる。
【００１８】
請求項６に記載の発明は、請求項４または５に記載の発明において、ボタンカバーの支軸とは開口部を挟んで反対側内面に係止爪を設け、前記ボタンカバー閉時にボタンベースに係止するものであり、ボタンカバーの開閉操作性をより高めることができる。
【００１９】
以下、本発明の実施の形態について、図面を参照しながら説明する。なお、この実施の形態によってこの発明が限定されるものではない。
【００２０】
（実施の形態１）
図１は本発明の実施の形態１における自動販売機本体の斜視図である。図２は同実施の形態の自動販売機の前面斜視図、図３は同実施の形態の自動販売機の選択手段の拡大図、図４は同実施の形態の自動販売機の選択手段のボタンカバー開放時の斜視図、図５は同実施の形態の自動販売機の選択手段の構成部品斜視図、図６は同実施の形態の自動販売機の選択手段のボタンカバー開放時の断面図、図７は同実施の形態の自動販売機の選択手段のボタンカバー閉時の断面図である。
【００２１】
図において、自動販売機の本体１０１内には複数の冷蔵もしくは温蔵された商品収納室１０３が区画構成されて、種々の商品１０７がそれぞれ収納されている。自動販売機本体１０１の前面開口部には商品収納室１０３と外気との断熱を司る内扉１０４が配置され、内扉１０４の前面には外扉１０２が配置されている。外扉１０２の前面上部には商品サンプル展示部１１５が備えられ商品選択ボタン１１８が配列されている。また、商品サンプル展示室１１５の下部中段には金銭投入部１１６が備えられ、また金銭投入部１１６とほぼ同じ高さの位置で外扉１０２の横幅寸法の略中央部には選択された商品１０７を排出する商品取出口１１７が備えられている。商品取出口１１７は、普段は取出口扉１１９にて閉塞されている。取出口扉１１９は、商品取出口１１７内部の回転軸に回動可能に取り付けられている。
【００２２】
商品収納室１０３内には商品収納ラック１０５が複数列配置され、最下部の商品は商品払出装置１１０によって保持され、商品選択ボタン１１８の操作により、対応する商品が、商品払出装置１１０によって払い出され、各々の商品収納ラック１０５の下部の本体後方から前方に向かって下降傾斜された商品シューター１０６上に落下しって搬出される。内扉１０４の下部には、シューター１０６によって案内される商品払出口１０８が横方向に複数個並べられている。商品払出口１０８は商品１０７が通過可能な寸法の開口部を形成しており、その下端は商品シューター１０６の前端より少し低い位置に配置されている。
【００２３】
また、商品払出口１０８の上端部に図示しないヒンジ機構を介して内扉フラッパ１０９が回動可能に取り付けられている。内扉フラッパ１０９（商品払出口ともいう）は、普段は自重で鉛直下向きに位置し、商品払出口１０８の断熱蓋の役目を果たしている。また、後方からの抗力により、前方へ回動する構造となっている。
【００２４】
内扉１０４の前方下部には搬送ベルトコンベア（搬送手段ともいう）１１１が左右に２個、一対になって配置されている。搬送ベルトコンベア１１１の上面は、商品払出口１０８の下端より少し低い位置に配置されている。左右の搬送ベルトコンベア１１１のそれぞ
れの両端にはコンベアローラが配置され、搬送ベルト１１２が張架されている。
【００２５】
左と右の搬送ベルトコンベア１１１の間には、中央傾斜スロープ（中間搬送手段ともいう）が配置され、後方から前方に向かって下降傾斜している。また、幅寸法は最大商品の長さより少し大きい寸法となっている。
【００２６】
中央傾斜スロープの前部には、商品リフタ（商品上昇手段ともいう）１１３が配置されている。商品リフタ１１３の外郭はフレームにて構成されている。
【００２７】
また、外扉１０２の略中央部には、ＩＣカードあるいは、携帯端末等の電子マネーで商品を購入する際の電子マネー選択部１２０と、電子マネーでの決済を行うデータ送受信部１２１を備える。
【００２８】
電子マネー選択部１２０は、ボタンカバー１３０、複数の選択ボタン１４０、ボタンベース１５０、パッキン１６０、基板１７０、基板カバー１８０を備えている。
【００２９】
ボタンカバー１３０は、選択ボタン１４０を前方より開口部１３１を介して覆うもので、下辺左右端部には支軸１３２を備え、さらに支軸１３２とは開口部１３１を挟んで反対側内面に係止爪１３３を設けている。
【００３０】
また、選択ボタン１４０はボタン部を形成するもので、前方より表示板カバー１４１、表示板１４２、表示板裏カバー１４３を配置し、表示板カバー１４１と表示板裏カバー１４３は共に断面略コの字状とし端部にそれぞれフランジ部１４４、１４５を備えている。さらに表示板カバー１４１は表示板裏カバー１４３にラップして配置するもので、表示板カバー１４１の内面形状を表示板裏カバー１４３の外面寸法と略同一として嵌合させている。
【００３１】
また、ボタンベース１５０には開口部１５１を有し、表示板裏カバー１４３を背面より開口部１５１に配置しフランジ部１４５で係止される。また、係止爪１３３と係合支持するための孔１５２を有している。さらに、ボタンカバー１３０の支軸１３２を回動支持する凹部１５３を備えている。なお、凹部１５３の内側（本体側）には支軸１３２が通過できる程度の切欠部を備えることで、ボタンベース１５０とボタンカバー１３０の支軸１３２の組み込みが容易にできる。
【００３２】
また、パッキン１６０はシリコン樹脂から成形し、基板１７０と選択ボタン１４０の間に介在し基板１７０へのシール性を確保している。また、基板１７０に備えたスイッチ部１７１への押圧操作を伝達するスイッチ押圧部１６１を一体に有している。
【００３３】
また、基板１７０には選択ボタン１４０を内部より照射するＬＥＤ１７２を備え、スイッチ部１７１への押圧操作と連動して照射される。また、基板１７０の背面には基板カバー１８０を有し、ビスにてボタンベース１５０に固定される。
【００３４】
上記構成において、電子マネー選択部１２０は、ボタンベース１５０の開口部１５１に背面より表示板裏カバー１４３とパッキン１６０と基板１７０を配置し、最背面の基板カバー１８０でボタンベース１５０にビス止めされる。一方、ボタンベース１５０の開口部１５１より突出した表示板裏カバー１４３の前面に、電子マネーの種類を表示した表示板１４２を挿入した表示板カバー１４１で嵌合支持する。そして表示板カバー１４１の前方より開口部１３１を介して覆うボタンカバー１３０がボタンベース１５０に係止爪１３３で係止される。上記のように組み込まれた電子マネー選択部１２０は、外扉１０２の開口部（図示せず）に固定され、外扉１０２が閉扉時はボタンカバー１３０の開閉は規制され
、外扉１０２が開放状態で内側から係止爪１３３を解除することでボタンカバー１３０の開放が可能となるものである。
【００３５】
以上のような構成において、以下動作、作用を説明する。まず、購入したい商品の商品選択ボタン１１８を押して、その後、決済したい電子マネーを電子マネー選択部１２０から選択する。そしてデータ送受信部１２１に電子マネーをかざすことで決済するとともに、商品払出装置１１０が開放され、商品収納ラック１０５から選択した商品１０７がシューター１０６、商品払出口１０８を通り、搬送ベルトコンベア１１１、商品リフタ１１３で商品取出口１１７に搬送され取り出される。なお、決済したい電子マネーを電子マネー選択部１２０から選択した後、購入したい商品の商品選択ボタン１１８を押して、その後データ送受信部１２１に電子マネーをかざすことで決済する順序としてもよい。
【００３６】
そして、設置する自動販売機により電子マネー選択部１２０の電子マネーの種類を変更したり、設置後に新たな電子マネーを追加したい場合には、サービスマンが電子マネー選択部１２０の表示板１４２を交換したり、新たな電子マネーの表示板１４２を追加する作業が必要になる。
【００３７】
上記作業をする場合は、外扉１０２のロックを外し開放することで内側から電子マネー選択部１２０のボタンカバー１３０に形成した係止爪１３３をボタンベース１５０から解除することでボタンカバー１３０は支軸前方より支軸１３２を軸に回動可能に開放される。この状態で、表示板裏カバー１４３と電子マネーの種類を表示した表示板１４２を挿入した表示板カバー１４１の嵌合を引っ張ることで解除し、表示板１４２を外し新たな変更すべき電子マネーの種類の表示板１４２を表示板カバー１４１に挿入して、表示板裏カバー１４３に嵌合する。これにより、電子マネーの種類を表示した表示板１４２のみ前方から容易に交換、追加できるので、作業の簡素化、作業時間の短縮を図ることができる。さらに、通常の外扉１０２閉扉時は、ボタンカバー１３０の辺左右端部の支軸１３２および支軸１３２とは開口部１３１を挟んで反対側内面に係止爪１３３を設けているので、前面より電子マネー選択部１２０のボタン部の着脱はできず、第三者のイタヅラ等を防止することができ、信頼性を向上することができる。さらに、ボタンカバー１３０は支軸１３２で支持されているので、ボタンカバー１３０開放時に紛失等の恐れもなく、サービス性を向上することができる。
【００３８】
また、表示板カバー１４１と表示板裏カバー１４３は共に断面略コの字状とし端部にそれぞれフランジ部１４４、１４５を備えているので、表示板１４２の収納性を高めることができるとともに、フランジ部１４４、１４５により表示板カバー１４１および表示板裏カバー１４３の位置決めが確実となる。
【００３９】
また、ボタンベース１５０には開口部１５１を有し、表示板裏カバー１４３を背面より開口部１５１に配置しフランジ部１４５で係止されるので、表示板１４２の交換時に、スイッチ部１７１を有する基板１７０の着脱は必要なく、表示板カバー１４１のみを外すことで、容易に交換作業をすることができるとともに、基板１７０の着脱は必要ないので電装関係の安全性を高めることができる。
【００４０】
また、表示板カバー１４１は表示板裏カバー１４３にラップして配置する際、表示板カバー１４１の内面形状を表示板裏カバー１４３の外面寸法と略同一として嵌合させているので、表示板１４２の収納性および交換性をより高めることができる。
【００４１】
また、パッキン１６０はシリコン樹脂から成形し、基板１７０と選択ボタン１４０の間に介在し基板１７０へのシール性を確保しているので、屋外設置時の信頼性、安全性を高めることができる。
【００４２】
なお、本実施の形態では、電子マネー選択部の選択ボタンとして説明したが、これに限定するものでなく、表示板の交換が必要な選択ボタンを備えたものであればよいことはいうまでもない。
【００４３】
また、ボタンベース１５０とボタンカバー１３０との係止は、ボタンカバー１３０の内面に設けた係止爪１３３で説明したが、係止爪１３３の近傍にボスを追加し背面よりボスに指で回転させ着脱可能な支持手段を追加してもよい。これにより、さらにボタンカバー１３０のボタンベース１５０への着脱確実性を高めることができる。
【００４４】
また、表示板カバー１４１の内面形状を表示板裏カバー１４３の外面寸法と略同一として嵌合させる場合、内側（本体側）に向かって若干のテーパを形成してもよい。これにより、表示板カバー１４１の表示板裏カバー１４３への嵌合着脱性を高めることができる。
【産業上の利用可能性】
【００４５】
以上のように、本発明にかかる自動販売機の選択ボタンは、通常は第三者のイタヅラ等を防止することができ、信頼性が高まるとともに、ボタン部に内蔵する表示板の交換が必要な場合は容易に交換することができ、サービス性を向上することができるので、選択ボタンを備えたあらゆる自動販売機器等の用途にも適用できる。
【符号の説明】
【００４６】
１０１  自動販売機本体
１０２  外扉
１０３  商品収納室
１２０  電子マネー選択部
１３０  ボタンカバー
１３１  開口部
１３２  支軸
１３３  係止爪
１４０  選択ボタン
１４１  表示板カバー
１４２  表示板
１４３  表示板裏カバー
１４４、１４５  フランジ部
１５０  ボタンベース
１５１  開口部
１７０  基板
１７１  スイッチ部
【図３】
2010250417.tif 000003
【図４】
2010250417.tif 000004
【図５】
2010250417.tif 000005
【図６】
2010250417.tif 000006
【図７】
2010250417.tif 000007
【図１】
2010250417.tif 000008
【図２】
2010250417.tif 000009
【図８】
2010250417.tif 000010
【図９】
2010250417.tif 000011